(57)【要約】【課題】雨などの水滴を適切に排水し、収納空間への雨水の浸入を防ぎ、防水効果を高めた宅配ボックスを提供する。【解決手段】本発明は、収納空間２と、収納空間２の開口部３に開閉自在な扉４と、を備えた宅配ボックス１である。宅配ボックスは、収納空間２の開口部３の上側と両横側に沿って前方に突出した内側辺３１があり、内側辺３１の先端から開口部３に対して外側に屈曲した外側辺３２がある。内側辺３１と外側辺３２とで断面略Ｌ字形状になっており、両横側の内側辺３１である縦辺部３３の下端は開口部３より下方へ延設されて下部垂下水きり３４として形成されている。【選択図】図４
2018000709.tif 000002
【特許請求の範囲】
【請求項１】
収納空間と、前記収納空間の開口部に開閉自在な扉とを設けた宅配ボックスであって、
前記収納空間の開口部の上側と両横側に沿って前方に突出した内側辺があり、
前記内側辺の先端から前記開口部に対して外側に屈曲した外側辺があり、
前記内側辺と前記外側辺とで断面略Ｌ字形状になっており、
前記両横側の内側辺である縦辺部の下端は前記開口部より下方へ延設されて下部垂下水きりとして形成されていることを特徴とする宅配ボックス。
【請求項２】
前記上側の内側辺である横辺部の両端は前記開口部より外側へ延設されて上部突出水きりとして形成されていることを特徴とする請求項１に記載の宅配ボックス。
【請求項３】
前記収納空間の開口部の下側にも、前記内側辺と前記外側辺とが断面略Ｌ字形状になって設けられていることを特徴とする請求項１または２に記載の宅配ボックス。
【請求項４】
前記開口部および前記扉を有する前記収納空間を上下に複数並べて備えることを特徴とする請求項１から３のいずれか一項に記載の宅配ボックス。
【発明の詳細な説明】
【技術分野】
【０００１】
本発明は、防水構造を備えた宅配ボックスに関するものである。
【背景技術】
【０００２】
特許文献１では、棚板により相互に独立した収納空間を形成するように上下に区画され、各収納空間前面の開口部には開閉自在な扉を設け、この収納空間の開口部にはその内側に沿って取り囲むように立設された内壁とともに内壁端部を外向きに屈曲させて形成されたフランジ部を備えた宅配ボックスが示されている。
この宅配ボックスは、内壁およびフランジ部を予めＬ字形状断面に形成した板状部材として各辺に組み付け、板状部材の上部材の両端には板状部材の縦部材の上端の上からかぶさるように折返しが形成され、扉の外周にこの内壁およびフランジ部を収納する外壁を形成することにより防水構造を作り上げており、低コストで屋外に設置可能とするものとして提案されている。
【先行技術文献】
【特許文献】
【０００３】
【特許文献１】特許５７６９３５１号
【発明の概要】
【発明が解決しようとする課題】
【０００４】
しかしながら、上記従来例においては開口部の端面と内壁とフランジ部とで導水溝を形成し、雨水を導くことが提案されているが、縦部材の導水溝を伝った水滴がそのまま開口部の下辺へ広がってしまい、防水効果が低減されてしまう。
そこで本発明は、防水効果をさらに高める宅配ボックスを提供する。
【課題を解決するための手段】
【０００５】
上記課題を解決するために、本発明は、収納空間と、前記収納空間の開口部に開閉自在な扉とを設けた宅配ボックスであって、前記収納空間の開口部の上側と両横側に沿って前方に突出した内側辺があり、前記内側辺の先端から前記開口部に対して外側に屈曲した外側辺があり、前記内側辺と前記外側辺とで断面略Ｌ字形状になっており、前記両横側の内側辺である縦辺部の下端は前記開口部より下方へ延設されて下部垂下水きりとして形成されている。
【発明の効果】
【０００６】
本発明によれば、縦辺部の下端が開口部より下方へ延設されて下部垂下水きりを形成することにより、縦辺部に付着して伝ってきた水滴は、開口部の下辺に広がりにくく、そのまま下部垂下水きりから滴下することができ、防水効果を向上した宅配ボックスを提供することができる。
【図面の簡単な説明】
【０００７】
【図１】本発明の一実施形態に係る宅配ボックスにおける扉閉状態を示した斜視図である。
【図２】本発明の一実施形態に係る宅配ボックスにおける扉開状態を示した斜視図である。
【図３】本発明の一実施形態に係る宅配ボックスの開口部の要部を示した要部斜視図である。
【図４】本発明の一実施形態に係る宅配ボックスの開口部の要部を示し、斜め下方から見た要部斜視図である。
【図５】本発明の別の実施形態に係る宅配ボックスにおける扉閉状態を示した斜視図である。
【図６】本発明の別の実施形態に係る宅配ボックスにおける扉開状態を示した斜視図である。
【発明を実施するための形態】
【０００８】
図１〜４は、本発明の一実施形態である宅配ボックス１を示す。この宅配ボックス１は、収納空間２と、収納空間２の開口部３に開閉自在な扉４とを設け、収納空間２の開口部３の上側と両横側に沿って前方に突出した内側辺３１があり、内側辺３１の先端から開口部３に対して外側に屈曲した外側辺３２があり、内側辺３１と外側辺３２とで断面略Ｌ字形状になっており、両横側の内側辺３１である縦辺部３３の下端は開口部３より下方へ延設されて下部垂下水きり３４として形成されている。
また、上側の内側辺３１である横辺部３５の両端は開口部３より外側へ延設されて上部突出水きり３６として形成されている。
【０００９】
そして、収納空間２の開口部３の下側にも、内側辺３１と外側辺３２とが断面略Ｌ字形状になって設けられている。
【００１０】
また、開口部３および扉４を有する収納空間２を上下に複数並べて備える。
以下、本実施形態の宅配ボックス１について具体的詳細に説明する。
図１および図２に示すように、横方向に並ぶ二つの筐体１１１があって、その筐体１１１の周囲を上面カバー１３と二枚の側面カバー１４とで覆うことで、これら全体を宅配ボックス１とする。
筐体１１１は、両側で対向する二枚の側面板２１、２１と、その側面板２１、２１の上下部で対向して位置する上面板２２と底面板２３と、後方に位置する後板２４と、で囲むように形成されている。
また、筐体１１１は、複数の収納空間２を備え、この複数の収納空間２は仕切り部１２で上下に区画することで形成される。この収納空間２は大小異なる宅配物に対応できるよう、様々な大きさで形成されているが、均等な大きさで形成されてもよい。この仕切り部１２は、上板１２Ａと下板１２Ｂの２枚で形成されている。そして、収納空間２には、後板２４と対向する位置（前面）にそれぞれ開口部３があり、この開口部３を扉４で塞ぐことにより、略密閉空間を形成することができる。
そして、筐体１１１の前面には、一部を塞ぐ前板５を備えている。この前板５には、操作部５１を備え、操作部５１の機械的機構は、前板５の後方の空間に収められる。この前板５の後方の空間は、宅配物を収める収納空間２とは異なり、収納空間２を解錠する操作とは異なった方法で解錠する。
この筐体１１１を横方向に複数並べる際、宅配ボックス１は、それら複数の筐体１１１を覆うように、上側に上面カバー１３、両側面に側面カバー１４を備える。このように、筐体１１１同士の連結部分を上面カバー１３と側面カバー１４によって覆うことで、筐体１１１同士の連結部分の隙間や、筐体１１１と扉４との隙間への水の浸入を抑制し、防水効果を高める。また、上面カバー１３は、筐体１１１より前方に突出するように庇部１３１として設置される。これより、雨天時の宅配物の収納、受取など、扉４が開いた状態において、開口部３に水滴が直接垂れることを抑制する。また、扉４が閉まった状態においても、筐体１１１と扉４との隙間へ水滴が浸潤することを抑制する。
そして、図１、図２に示すように、筐体１１１は、収納空間２のみを有する筐体１１１Ａと、収納空間２と操作部５１を備える前板５等を有する１１１Ｂと、を左右に並べ、電気的に接続することで、一つの宅配ボックス１として機能させる。このとき、一つの操作部５１で全ての扉４の開閉操作を行うことができる。筐体１１１Ａが複数並ぶ場合は、一つの筐体１１１Ｂの操作部５にて全扉４の解錠操作を行ってもよいが、複数の筐体１１１Ｂ
を設置し、どの筐体１１１Ｂの操作部５でも全扉４の解錠操作を行うことができることが好ましい。これにより、広い空間に多くの筐体１１１が並べられていても、扉４の解錠操作の度に、同じ筐体１１１Ｂに戻る必要がなく、荷物等を収容する作業性が向上する。
次に、図２に示されるように、最上部の収納空間２は、上面は上面板２２、側面は側面板２１、底面は仕切り部１２の上板１２Ａ、後面は後板２４によって囲まれることで形成されている。また、図示していないが、最下部に位置する収納空間２では、上面は仕切り部１２の下板１２Ｂ、側面は側面板２１、底面は底面板２３、後面は後板２４によって囲まれることで形成され、上下に仕切り部１２を備える収納空間２においては、上面は仕切り部１２の下板１２Ｂ、底面は仕切り部１２の上板１２Ａ、側面は側面板２１、後面は後板２４によって囲まれることで形成されている。
なお、各収納空間２の底面の一部に穴をあけ、その穴の中に荷物の有無を感知するセンサー６を備えていても構わない。
次に、筐体１１１は、複数の収納空間２の開口部３の前面にそれぞれ開閉自在な扉４を設けているが、複数の収納空間２を一つの扉４が塞ぐようにしてもよい。扉４は、横側の一方の端部７１に蝶番８を備え、この蝶番８を介して開閉自在に収納空間２の側面板２１に取り付けられる。また、横側の他方の端部７２には、係止片９が形成され、収納空間２の側面板２１に備えられた電気錠のラッチ（図示せず）と係りあうことで、施錠を行うことができる。この電気錠は、前板５に備えられた操作部５１によって、錠の開閉操作を行うことができる。
また、扉４は、一枚の金属板の四辺を後方に折り曲げることで、側部辺４１を形成していて、それら側部辺４１の端部をさらに内側へ折り曲げることで、内部辺４２を形成している。上側の側部辺４１Ａの端部と下側の側部辺４１Ｂの端部は、横側の側部辺４１Ｃに向けて折り曲げられている。このとき、上側の側部辺４１Ａと下側の側部辺４１Ｂとが横側の側部辺４１Ｃに重なる部分においては、横側の側部辺４１Ｃの端部を切り欠くことにより、上側の側部辺４１Ａおよび下側の側部辺４１Ｂの折り曲げ部４１Ｄと横側の側部辺４１Ｃとが略面一に形成されている。これにより、扉４を収納空間２の側面板２１に取り付けた際、扉４開閉時の引っ掛かりを低減することができる。また、扉４を最大限に大きく設置できるため、雨天時等にかかる水滴を、扉４の前面で止め、宅配ボックス１の内部に浸潤することを抑制する。
また、扉の４の下側の側部辺４１Ｂの両端には、水抜き穴１０が形成されている。これにより、扉４の後面に付着した水は、この水抜き穴１０を通って、宅配ボックス１の外部へ排出される。なお、水抜き穴１０を水を排出するために適切な形状であれば、丸形状であっても、四角形状であっても構わない。
また、図１、図２に示されるように、前板５には、錠の開閉操作を行う操作部５１を備えている。この操作部５１においては、電気的な操作により錠の開閉操作を行うが、例えばダイヤル式錠やプッシュ式錠などの機械的な操作による錠の開閉操作を行っても構わない。なお、機械的な錠は、各扉４にそれぞれ設置されていることが好ましい。また、前板５には、カメラ部５２が備えられていてもよく、このカメラ部５２では、宅配物の収納、受取時に操作する人を録画することで、イタズラ防止として活用される。また、公共の場に設置される場合、周辺の画像を録画することで、防犯カメラとしても活用される。そして、前板５には、宅配物を収納した際に、どの収納空間２に収納されたかを記載した配達伝票を排出する排出部５３を備えてもよい。集合住宅で使われる場合、この排出部５３から排出された配達伝票を、配達先である宅の郵便受けに投函することで、どの収納空間２に宅配物が収容されたかということの伝達ミスを低減することができる。また、前板５には、前記排出部５３より排出された伝票に記載されたコードを読み込む読取部５４を備える。読取部５４には、投函された伝票を読み込ますことで、特定の錠を解錠する操作が行われる。これより、操作部５１の操作を経ることなく、簡易に自分に届けられた荷物を取り出すことができる。
図３、図４において、筐体１１１を仕切り部１２で区画した際に最上部に形成された収納空間２の開口部３について説明する。図３、図４は、開口部３の要部のみを記載し、上面
カバー１３や断面Ｃ字形状部材１５の一部等を省略している。収納空間２の開口部３の四辺には、開口部３に沿って、前方に突出した内側辺３１があり、内側辺３１の先端からは、開口部３に対して外側に屈曲した外側辺３２が備えられる。この内側辺３１と外側辺３２とで断面略Ｌ字形状になっている。開口部３の上側と両横側の辺は、筐体１１１の上面板２２、側面板２１、２１から連続して内側辺３１と外側辺３２とが形成される。また、仕切部１２の前端には、開口部３の下側の辺に沿って、断面視がＣ字形状の断面Ｃ字形状部材１５が長尺に形成されている。開口部３の下側の辺において、この断面Ｃ字形状部材１５の上側の部分は、内側辺３１と外側辺３２とを形成する。なお、断面Ｃ字形状部材１５の下側の部分は、最上部に形成された収納空間２の一つ下の収納空間２における開口部３の上側の辺において、内側辺３１と外側辺３２とを形成する。
また、両横側の内側辺３１である縦辺部３３の下端は、開口部３より下方へ延設されて下部垂下水きり３４として形成されている。そして、上側の内側辺３１である横辺部３５の両端は、開口部３より外側へ延設されて上部突出水きり３６として形成されている。なお、上記では、内側辺３１と外側辺３２は、開口部３の下側の辺においてのみ、断面略Ｃ字形状部材１５の別部材を備えることで形成しているとしたが、開口部３の四辺それぞれに、断面略Ｌ字形状の別部材を備えてもよい。また、内側辺３１と外側辺３２とが開口部３の四辺に沿って形成された正面視四角形状の別部材として、開口部３に備えられていてもよい。
そして、筐体１１１を仕切り部１２で区画した際に最下部に形成された収納空間２の開口部３については、下側と両横側の辺は、筐体１１１の底面板２３、側面板２１、２１から連続して内側辺３１と外側辺３２が形成される。開口部３の上側の辺は、仕切り部１２の前面に備えられた断面略Ｃ字形状部材１５の下側の部分にて、内側辺３１と外側辺３２とが形成される。また、筐体１１１の上下に仕切り部１２を備える収納空間２の開口部３については、両横側の辺は、収納空間２の側面板２１、２１から連続して内側辺３１と外側辺３２が形成される。開口部３の上側の辺は、仕切り部１２の前端に備えられた断面略Ｃ字形状部材１５の下側の部分にて、内側辺３１と外側辺３２とが形成され、開口部３の下側の辺は、仕切り部１２の前端に備えられた断面略Ｃ字形状部材１５の上側の部分にて、内側辺３１と外側辺３２とが形成される。これらの辺は、最上部に形成された収納空間２の開口部３と同じく、開口部３の四辺それぞれに、断面略Ｌ字形状の別部材を備えて、内側辺３１と外側辺３２を形成してもよいし、内側辺３１と外側辺３２とが開口部３の四辺に沿って形成された正面視四角形状の別部材として、開口部３に備えられていてもよい。なお、開口部３の上側と両横側の三辺にのみ、内側辺３１と外側辺３２とを備えるだけでもよい。上記同様、内側辺３１と外側辺３２は、開口部３の三辺それぞれに、断面略Ｌ字形状の別部材として備えてもよく、開口部３の三辺に沿って正面視略Ｕ字形状の別部材として備えられていてもよい。
また、上側及び下側の横辺部３５は、隣り合う横側の縦辺部３３と重なり合う部分において、前方から後方に向けてリベット３７にて固定されている。このとき、横勝ちで重なりあうことで防水性を向上する。また、上側の横辺部３５と隣り合う横側の縦辺部３３との継ぎ目の内側は、溶接によって補強されている。
また、図１、２に示すように、それぞれの筐体１１１においては、差込鍵によって錠を解錠し、扉４を開く機構を備える。これにより、停電時に電気的な錠が起動しない場合や、電気的な錠や機械的な錠そのものが破損してしまった場合に、これらの錠の解錠操作に依存することなく、錠を解錠し、扉４を開くことができる。差込鍵穴１１は、各筐体１１１の下部に備えてはいるが、上部に備えていても構わない。また、複数の筐体１１１を並べた宅配ボックス１であっても、必要な筐体１１１のみの錠を解錠することができるので、解錠後、扉４を閉じる際の手間も低減される。
したがって、本実施形態の宅配ボックス１においては、収納空間と２、収納空間２の開口部３に開閉自在な扉４を設け、収納空間２の開口部３の上側と両横側に沿って前方に突出した内側辺３１がある。内側辺３１から開口部３に対して外側に屈曲した外側辺３２がある。この内側辺３１と外側辺３２とで断面略Ｌ字形状になっており、両横側の内側辺３１
である縦辺部３３の下端は、開口部３より下方へ延設されて、下部垂下水きり３４として形成される。このような構成によれば、縦辺部３３に付着し、伝ってきた水滴は開口部３の下側に広がりにくく、そのまま縦辺部３３の下端の下部垂下水きり３４から宅配ボックス１の外部へ滴下することができる。つまり、収納空間２への雨水等の浸入を防ぎ、防水効果を高めることができる。
また、上側の内側辺３１である横辺部３５の両端は外側へ延設されて、上部突出水きり３６として形成される。このような構成によれば、上側の横辺部３５に付着した水滴が伝う際、上部突出水きり３６から直接下方へ水滴を落とすことができ、防水効果を高めることができる。また、上部突出水きり３６から縦辺部３３に導水された場合も、その縦辺部３３を伝い、下方へ水滴を落とすことができ、防水効果を高めることができる。
また、収納空間２の開口部３の下側にも、内側辺３１と外側辺３２とが断面略Ｌ字形状になって設けられている。このような構成によれば、例えば雨水などが下側から跳ね返った際に飛び散る水滴、つまり下側から上側に向けて飛び散る水滴が収納空間２へ直接侵入することを防ぎ、防水効果をより高めることができる。
【００１１】
そして、本実施形態の宅配ボックス１においては、開口部３および扉４を有する収納空間２を上下に複数並べて備える。このような構成によれば、複数の収納空間２であっても、付着した水滴が宅配ボックス１の下部まで流れ、そのまま宅配ボックス１の外へ排出される。また、複数の荷物を預けることができるので、複数の人が、公共の場所で利用したり、集合住宅で利用したりすることができる。また、戸建住宅においては、複数の宅配物へ対応することもでる。
【００１２】
次に、図５、図６は本発明の別の実施形態の宅配ボックス１を示す。上記一実施形態と重複する構成についての詳しい説明は省略する。
図５、図６に示すように、仕切り部１２を用いず、一つの収納空間２のみを有した筐体１１１を宅配ボックス１とする。この際、筐体１１１は、収納空間２を広く活用するため、ダイヤル式錠やプッシュ式錠などの機械的な錠を備えることが好ましい。その機械的な錠の操作部５１を扉４の前面に備え、扉４の後面には、機械的な錠の機構を備える。扉４の後面に備えた錠の機構は、カバー部６等で覆うことで、不要なときに触られることがなく、不意または故意な操作による錠の故障が低減する。また、この宅配ボックス１は、扉４の後面に回路が収まるように設置し、電気的な錠を備えても構わない。
なお、この宅配ボックス１を一つの筐体１１１のみで使用する場合、上面カバー１３および側面カバー１４を設置しなくても構わない。またなお、庇部１３１を有する上面カバー１３のみの設置でも構わない。
【００１３】
以上に述べた宅配ボックス１の収納空間２や扉４は、アルミニウムやステンレス等の金属板または合金板をプレス加工等施すことにより形成されてもよいし、金属板の表面を樹脂等で被覆したもので形成されていてもよい。また、内側辺３１及び外側辺３２を別部材で形成するとき、状況に応じて、その部材を金属板や合金板をプレス加工することや、樹脂材料で樹脂成型することで形成する。そのとき、形成された金属部材を樹脂材料で被覆することで、防錆性や防水性を向上させてもよい。
また、前板５は、扉４と同等の素材で形成することで、宅配ボックス１の全体の意匠性を向上させることができる。また、前板５の色や素材を扉４と変えることで、操作部５１を見つけやすくし、宅配物を収容する作業性を向上することができる。
【符号の説明】
【００１４】
１  宅配ボックス
２  収納空間
３  開口部
３１  内側辺
３２  外側辺
３３  縦辺部
３４  下部垂下水きり
３５  横辺部
３６  上部突出水きり
４  扉
【図１】
2018000709.tif 000003
【図２】
2018000709.tif 000004
【図３】
2018000709.tif 000005
【図４】
2018000709.tif 000006
【図５】
2018000709.tif 000007
【図６】
2018000709.tif 000008